(57)【要約】      （修正有）【課題】液化ガスを多く含有させても噴霧粒子を飛散させることなく、薬液の塗布効率が高く、所望の時間で薬液を患部に到達させ、かつ、優れた冷却感を得ること。【解決手段】有効成分を含み、液化ガスを４０〜９９重量％含有するエアゾール組成物６を充填したエアゾール容器４と、エアゾール容器４に装着される塗布部材１とからなる人体用エアゾール製品１００であって、塗布部材１に、エアゾール容器４から放出されるエアゾール組成物６を一時貯留すると共に、患部に押し付けると患部の形状に応じて変形し塗布することができる軟質な発泡体１１で構成された塗布部１０を備えている。【選択図】図１（ａ）
2007330313.tif 000002
【特許請求の範囲】
【請求項１】
有効成分を含み、液化ガスを４０〜９９重量％含有するエアゾール組成物が充填されるエアゾール容器と、
エアゾール容器に装着される塗布部材とからなる人体用エアゾール製品であって、
前記塗布部材が、エアゾール容器から放出されるエアゾール組成物を一時貯留すると共に、
患部に押し付けると患部の形状に応じて変形し塗布することができる軟質な発泡体で構成された塗布部を備えてなる人体用エアゾール製品。
【請求項２】
前記塗布部が、エアゾール組成物の流出通路と同軸方向に伸びる中心通路を備えてなる請求項１記載の人体用エアゾール製品。
【請求項３】
前記軟質な発泡体の見かけ密度が０．００５〜０．１（ｇ／ｃｍ3）であり、２５％圧縮するのに要する力が０．０１〜０．６（ｋｇ／ｃｍ2）である請求項１記載の人体用エアゾール製品。
【請求項４】
前記塗布部が、軟質な発泡体の下面に硬質な発泡体を備えてなる請求項１記載の人体用エアゾール製品。
【請求項５】
前記硬質な発泡体の見かけ密度が０．０５〜０．３（ｇ／ｃｍ3）であり、２５％圧縮するのに要する力が０．７〜５（ｋｇ／ｃｍ2）である請求項４記載の人体用エアゾール製品。
【請求項６】
前記液化ガスの２０℃における蒸気圧が０．０５〜０．３（ＭＰａ）である請求項１記載の人体用エアゾール製品。
【請求項７】
前記塗布部材が噴射孔を有する本体と塗布部とを備えており、
塗布部が噴射孔に対して移動自在であり、
塗布部の位置により、エアゾール組成物を含浸させて患部に塗布する第１状態と、
エアゾール組成物を患部に噴霧する第２状態とを切り替えることができる請求項１記載の人体用エアゾール製品。
【発明の詳細な説明】
【技術分野】
【０００１】
本発明は、人体用エアゾール製品に関する。さらに詳しくは、有効成分を含み、液化ガスを４０〜９９重量％と多く含有するエアゾール組成物を充填したエアゾール容器と、エアゾール容器に装着される塗布部材とからなり、塗布部材を皮膚に押し当てて使用する人体用エアゾール製品に関する。
【背景技術】
【０００２】
エアゾール製品は、有効成分を含む原液と噴射剤とからなるエアゾール組成物と、エアゾール組成物を充填するエアゾール容器と、エアゾール容器からエアゾール組成物を所望の噴射形態で噴射する噴射部材（塗布部材）とから構成されている。
【０００３】
前記噴射剤として用いられる液化石油ガスやジメチルエーテルなどの液化ガスは、エアゾール容器内部では液体であり、大気中に放出されると気化して気体になる。このとき容積が膨張して原液（液体）を霧状や泡状などに変化させることができると共に、気化熱により優れた冷却効果が得られるため、制汗剤、消炎鎮痛剤、鎮痒剤、抗真菌剤、害虫忌避剤など、人体用エアゾール製品に幅広く用いられている。
【０００４】
しかしながら、エアゾール組成物中に液化ガスを多く配合すると噴霧粒子が細かくなりすぎ、人体に噴射した際に皮膚や頭髪などに付着せずに跳ね返って飛散する。そのため、使用者は飛散している噴霧粒子を吸引しやすくなるという問題が生じる。特に消炎鎮痛剤や害虫忌避剤などの頭部に近い個所に塗布する製品の場合は、使用者が噴霧粒子を吸引しやすくなる。そこで、使用者が噴霧粒子を吸引するのを回避するために、噴霧粒子が細かくならないように液化ガス量を少なくする、増粘剤やポリオールなどを配合するなどの方法が検討されている。しかしながら、このような回避方法を用いた場合には冷却効果が得られにくく、乾燥性が劣るなど、使用感が低下する。
【０００５】
一方、特許文献１、２には、高分子焼結多孔質体やスポンジなどの塗布部を備えたエアゾール製品あるいはエアゾール装置が開示されている。これらは、エアゾール容器より放出されたエアゾール組成物（以下、薬液）を高分子焼結多孔質体やスポンジに含浸させて目的部位に直接塗布することができる。以下で、特許文献１、２について簡単に説明する。
【０００６】
特許文献１のエアゾール製品は、使用感を向上させるとともに、薬液の適正な塗布量を確保することを目的としており、その塗布部に球面状の焼結多孔質体を装着している。この焼結多孔質体はポリエチレン又は、ポリプロピレン或いはエチレン・酢酸ビニルコポリマーの粒体を原料として焼結成形され、標準平均気孔径が５〜１００μｍの範囲で形成される。このエアゾール製品は、弁を開放することにより弁から噴射された薬液を安定した状態で焼結多孔質体の表面に浸透することができるため、安定した塗布量を確保することができ、塗布時の分布状態を均一化することができる。特に直接皮膚に塗布することができるため、薬液の空中への飛散を防止して無駄なく塗布することができる。
【０００７】
特許文献２のエアゾール装置は、発泡性内容物を塗布する際に、一塗りあたりの塗布面積を大きくも小さくもすることができ、さらに塗布作業をし易くすることを目的としている。その構造は、塗布部において、独立気泡スポンジと連続気泡スポンジとの積層構造からなるスポンジ部の頂面の平面形状を長方形状に形成し、さらにスポンジを固着したキャップの肩部をハの字状に傾斜するように形成している。このことにより、塗り方向に長方形の長辺側を向けるか短辺側を向けるかによって幅の広い塗り面積と幅の狭い塗り面積とを選択することができる。また、キャップの肩部がハの字状に傾斜されて角がとれているので、スポンジ部を塗布面に押しつけて塗る際に、エアゾール容器を塗布面に対し斜めに傾斜させて押し当てることができるので塗布作業がし易くなるというものである。
【０００８】
【特許文献１】特開２０００−２２５３６０号公報
【特許文献２】実開昭６１−１２５３５５号公報
【発明の開示】
【発明が解決しようとする課題】
【０００９】
特許文献１のように高分子焼結多孔質体を備えた塗布部材を使用する場合、高分子焼結多孔質体は標準平均気孔径が５〜１００μｍと非常に小さい範囲で形成されているため、塗布部を患部に押し付けるなどの噴射操作をしてから薬液が高分子焼結多孔質体に含浸され、患部に塗布可能になるまでの時間が長くなり即効性がない。また焼結体は固く凸状であるため患部と接触する面積が小さく、塗布効率が悪い。
【００１０】
特許文献２は発泡性内容物に使用するものである。発泡性内容物は少ない液化ガスで原液を泡状にしており、泡を移動させるエネルギーが小さいため、泡がスポンジ内をスムーズに移動できるようにスポンジの孔を粗くしている。よって、特許文献２記載の塗布部材を液化ガスの配合量が多いエアゾール組成物に用いると、噴霧粒子の飛散を避けることはできるものの、スポンジがエアゾール組成物を通過させやすく、液化ガスが直接患部に付着して凍傷を引き起こす恐れがある。
【００１１】
本発明の人体用エアゾール製品は、上記従来の問題を鑑みたもので、液化ガスを多く含有させても粒子を飛散させることなく、噴射操作をしてから短時間で薬液を塗布できる状態になり、さらに薬液の塗布効率が高く、薬液から優れた冷却感が得られる人体用エアゾール製品を提供することを目的としている。
【課題を解決するための手段】
【００１２】
本発明の人体用エアゾール製品は、有効成分を含み、液化ガスを４０〜９９重量％含有するエアゾール組成物が充填されるエアゾール容器と、エアゾール容器に装着される塗布部材とからなる人体用エアゾール製品であって、前記塗布部材が、エアゾール容器から放出されるエアゾール組成物を一時貯留すると共に、患部に押し付けると患部の形状に応じて変形し塗布することができる軟質な発泡体で構成された塗布部を備えてなることを特徴としている。
【００１３】
また、本発明の人体用エアゾール製品は、前記塗布部が、エアゾール組成物の流出通路と同軸方向に伸びる中心通路を備えてなることが好ましい。
【００１４】
また、本発明の人体用エアゾール製品は、前記軟質な発泡体の見かけ密度が０．００５〜０．１（ｇ／ｃｍ3）であり、２５％圧縮するのに要する力が０．０１〜０．６（ｋｇ／ｃｍ2）であることが好ましい。
【００１５】
また、本発明の人体用エアゾール製品は、前記塗布部が、軟質な発泡体の下面に硬質な発泡体を備えてなることが好ましい。
【００１６】
また、本発明の人体用エアゾール製品は、前記硬質な発泡体の見かけ密度が０．０５〜０．３（ｇ／ｃｍ3）であり、２５％圧縮するのに要する力が０．７〜５（ｋｇ／ｃｍ2）であることが好ましい。
【００１７】
また、本発明の人体用エアゾール製品は、前記液化ガスの２０℃における蒸気圧が０．０５〜０．３（ＭＰａ）であることが好ましい。
【００１８】
また本発明の人体用エアゾール製品は、前記塗布部材が噴射孔を有する本体と塗布部とを備えており、塗布部が噴射孔に対して移動自在であり、塗布部の位置により、エアゾール組成物を含浸させて患部に塗布する第１状態と、エアゾール組成物を患部に噴霧する第２状態とを切り替えることができることが好ましい。
【発明の効果】
【００１９】
本発明の人体用エアゾール製品（請求項１）によれば、塗布部材がエアゾール容器から放出されるエアゾール組成物を一時貯留すると共に、患部に押し付けると患部の形状に応じて変形し塗布することができる軟質な発泡体で構成された塗布部を備えているので、以下に述べる３つの効果を得ることができる。
（１）エアゾール組成物を塗布部内で一時貯留するため、液化ガスを多く含有しても飛散することなく、薬液を塗布することができる。
（２）また、塗布部内で液化ガスは一気に全量気化せず、一部が気化して自己冷却するため、塗布される薬液は液化ガスを含有しており優れた冷却感が得られる。また塗布部内も冷却されるため、液化ガスは徐々に気化し冷却効果が持続する。
（３）塗布部を患部に押し付けると患部の形状に応じて変形するため、患部との接触面積が大きく、塗布効率が高い。
【００２０】
また、塗布部が、エアゾール組成物の流出通路と同軸方向に伸びる中心通路を備えている場合は（請求項２）、噴射操作してから患部に薬液が到達するまでの時間が短く、即効性に優れている。
【００２１】
また、軟質な発泡体の見かけ密度が０．００５〜０．１（ｇ／ｃｍ3）であり、２５％圧縮するのに要する力が０．０１〜０．６（ｋｇ／ｃｍ２）である場合は（請求項３）、発泡体内に液化ガスを含んだ状態で貯留しやすく、さらに塗布時の押圧力で患部の形状に応じて変形する強度が得られやすい。
【００２２】
また、塗布部が、軟質な発泡体の下面に硬質な発泡体を備えている場合は（請求項４）、塗布部を患部に強く押し付けても硬質な発泡体によりバルブと患部との距離を保つことができ、過冷却を防止することができる。
【００２３】
また、硬質な発泡体の見かけ密度が０．０５〜０．３（ｇ／ｃｍ3）であり、２５％圧縮するのに要する力が０．７〜５（ｋｇ／ｃｍ2）である場合は（請求項５）、発泡体内でのエアゾール組成物の移動がスムーズであり、噴射操作してから塗布できる状態になるまでの時間が短く、使い勝手がよい。
【００２４】
また、液化ガスの２０℃における蒸気圧が０．０５〜０．３（ＭＰａ）である場合は（請求項６）、エアゾール組成物が塗布部内に貯留される時間が最適になり、優れた冷却効果が得られ、かつ持続しやすい。
【００２５】
また、前記塗布部材が噴射孔を有する本体と塗布部とを備えており、塗布部が噴射孔に対して移動自在であり、塗布部の位置により、エアゾール組成物を含浸させて患部に塗布する第１状態と、エアゾール組成物を患部に噴霧する第２状態とを切り替えることができる場合は（請求項７）、広範囲への噴霧と局部への塗布という両極端な使用方法を１本の製品で行うことができる。
【発明を実施するための最良の形態】
【００２６】
本発明の人体用エアゾール製品は、有効成分を含み、液化ガスを４０〜９９重量％含有するエアゾール組成物が充填されるエアゾール容器と、エアゾール容器に装着される塗布部材とからなる人体用エアゾール製品であって、前記塗布部材が、エアゾール容器から放出されるエアゾール組成物を一時貯留すると共に、患部に押し付けると患部の形状に応じて変形し塗布することができる軟質な発泡体で構成された塗布部を備えていることを特徴としている。
【００２７】
以下で、添付図面を参照しながら、本発明の人体用エアゾール製品について詳細に説明する。
【００２８】
図１ａは、本発明の実施形態１のエアゾール製品の断面を示す図、図１ｂは、本発明の実施形態１のエアゾール製品に用いられる塗布部の他の形態を示す断面図、図２は、本発明の実施形態２のエアゾール製品の断面を示す図、図３は、本発明の実施形態３のエアゾール製品の断面を示す図、図４は、本発明の実施形態４のエアゾール製品の断面を示す図、図５は、本発明の実施形態５のエアゾール製品の断面を示す図、図６（ａ）は、本発明の実施形態６のエアゾール製品の噴霧時の断面を示す図、図６（ｂ）は、本発明の実施形態６のエアゾール製品の塗付時の断面を示す図、図６（ｃ）は、本発明の実施形態６のエアゾール製品の本体および塗付部を示す斜視図、図７（ａ）は、本発明の実施形態７のエアゾール製品の噴霧時の状態を示す断面図、図７（ｂ）は、本発明の実施形態７のエアゾール製品の噴霧時の状態を示す斜視図、図８（ａ）は、本発明の実施形態７のエアゾール製品の塗付時の状態を示す断面図、図８（ｂ）は、本発明の実施形態７のエアゾール製品の塗付時の状態を示す斜視図、図９（ａ）は、本発明の実施形態８のエアゾール製品の噴霧時の状態を示す断面図、図９（ｂ）は、本発明の実施形態８のエアゾール製品の噴霧時の状態を示す斜視図、図１０は、本発明の実施形態８のエアゾール製品の塗付時の状態を示す断面図である。図中、同じ機能を持つ構成要素には、同一の参照符号を付している。
【００２９】
実施の形態１
図１ａに示す人体用エアゾール製品１００は、耐圧容器４の開口部にエアゾールバルブ３を固着したエアゾール容器と、エアゾール容器内に充填されるエアゾール組成物６と、エアゾール容器に装着される塗布部材１とからなる。
【００３０】
前記耐圧容器４は、アルミニウムやブリキなどの金属板や円盤状のものをインパクト加工または絞りしごき加工などによって底部と胴部を形成し、さらにネッキング加工、カーリング加工によって肩部、ビード部４ａを形成している。なお、ブリキや錫−ニッケル系鋼板などの金属板を円筒状にした胴部に、底部と、ビード部４ａを形成した目金とを二重巻き締めにより固着した３ピース缶、あるいは２ピース缶を用いても良い。さらに、耐圧ガラスや合成樹脂など、耐圧性を有する他の材質であってもよい。
【００３１】
前記エアゾールバルブ３は、従来公知のものが用いられ、耐圧容器４のビード部４ａにガスケットを介して固着されるマウンティングカップ３４と、マウンティングカップ３４の中央部に保持されるハウジング３３と、ハウジング３３内にスプリング３２と共に収容されスプリング３２により常時上方に付勢されるステム３０と、その内径面にステム３０を挿入し、ステム３０がスプリング３２の反発力により上向きに付勢されている状態でステム３０のステム孔を覆うあるいはステム孔より下方の外周面全体を覆いエアゾール容器内部を密封するステムラバー３１とを備えている。このエアゾールバルブ３は、ステム３０がエアゾール容器の軸線下方に移動することによりステム孔が開放されるプッシュダウン式であり、エアゾール製品を倒立状態にして使用するためハウジング３３にはディップチューブが装着されていない。
【００３２】
前記塗布部材１は、球帯状の本体２と、球帯の上面に貼付された円柱状の塗布部１０とからなる。本体２は、上面の中心から軸線下方に延びる円筒状の筒部を有し、筒部の下端にはステム３０に装着するためのステム装着部２ｃが形成されており、筒部の内部にはステム装着部２ｃから上面まで連通する本体通路２ｂが設けられ、さらに本体通路２ｂの上部開口には本体通路２ｂよりも断面積が広くなった貯留空間２ａが設けられている。該貯留空間２ａでエアゾール組成物を一時的に貯留することができる。また貯留されたエアゾール組成物は、後述する塗布部１０の下面に広範囲に付着させることができ、エアゾール組成物は液化ガスの気化による推進力で塗布部１０内を上方へ（塗布面へ）移動しやすくなる。
【００３３】
前記塗布部１０は、軟質な発泡体（軟質発泡体）１１と硬質な発泡体（硬質発泡体）１２とが熱溶着などにより張り合わされた積層体であり、硬質発泡体１２の下面が本体２の上面に貼り付けられ、軟質発泡体１１の上面が塗布面になる。塗布部１０は、その内部でエアゾール容器から放出されたエアゾール組成物を一時貯留すると共に、その間に薬液を液化ガスの気化熱により冷却する作用がある。さらに、患部に薬液を塗布するときは、軟質発泡体の上面を押し当てることで患部の形状に応じて変形し、患部と密着して薬液を効率良く塗布することができる。
【００３４】
前記軟質発泡体１１は、たとえば、ポリウレタンや、ポリエチレン、ポリプロピレンなどのポリオレフィンなどの合成樹脂を発泡させて所定の形状に成形した発泡樹脂を用いることができる。軟質発泡体１１は、見かけ密度が０．００５〜０．１（ｇ／ｃｍ3）であることが好ましく、さらには０．０１〜０．０６（ｇ／ｃｍ3）であることが好ましい。軟質発泡体１１の見かけ密度が０．００５（ｇ／ｃｍ3）よりも小さい場合は薬液の保持時間が短く液垂れしやすくなる。またこの場合、軟質発泡体１１の強度が低下し塗布時に損傷しやすくなる。一方、軟質発泡体１１の見かけ密度が０．１（ｇ／ｃｍ3）よりも大きい場合は固くなりやすく、患部の形状に応じて変形し難くなるため、薬液を効率よく塗布しにくくなる。ここで、見かけ密度とは、内部に空隙を含んだ材料の体積によってその質量を除した値である。
【００３５】
また軟質発泡体１１は、軟質発泡体を２５％圧縮するのに要する力（以下、圧縮硬度）が０．０１〜０．６（ｋｇ／ｃｍ2）、さらには０．０２〜０．５（ｋｇ／ｃｍ2）であることが好ましい。軟質発泡体１１の圧縮硬度が０．０１（ｋｇ／ｃｍ2）より小さい場合は強度が低く、塗布時に損傷しやすくなる。一方、軟質発泡体１１の圧縮硬度が０．６（ｋｇ／ｃｍ2）よりも大きい場合は患部の形状に応じて変形し難くなるため、薬液を効率よく塗布しにくくなる。ここで、圧縮硬度とは、発泡体に荷重をかけて２５％圧縮するのに必要な荷重を単位面積あたりに換算した値である。
【００３６】
さらに軟質発泡体１１の容積は、エアゾール組成物の単位時間あたりの噴射量（ｍｌ／秒）の０．５〜１０秒分、さらには１〜５秒分であることが好ましい。容積が０．５秒分未満の場合はエアゾール組成物を軟質発泡体１１内に保持する時間が短く患部で液垂れしやすくなる。一方、軟質発泡体１１の容積が噴射量（ｍｌ／秒）の１０秒分よりも大きい場合は、エアゾール組成物を軟質発泡体１１内に保持する時間が長くなり、噴射操作してから患部に薬液を塗布できるまでの時間が長い。さらに、噴射した量を人体に全量塗布するのに時間がかかる。
【００３７】
前記硬質発泡体１２は、その内部でエアゾール組成物が通過する速度を遅くして保持時間を長くし、薬液の温度を調整すると共に、液化ガスを徐々に気化させて冷却効果を持続させる作用がある。さらに、塗布部を患部に強く押し付けても硬質発泡体１２は変形しにくく、硬質発泡体が支持部となってステムの先端から患部までの距離を保つことができ、過冷却を防止することができる。
【００３８】
前記硬質発泡体１２は、たとえば、ポリエチレン、ポリプロピレンなどのポリオレフィン、ポリ塩化ビニル、ポリアミド、ポリアセタール、ポリエステル、ポリスチレンなどを発泡させて所望の形状に成形することにより製造した発泡樹脂を用いることができる。硬質発泡体１２は、見かけ密度が０．０５〜０．３（ｇ／ｃｍ3）であることが好ましく、さらには０．０６〜０．２（ｇ／ｃｍ3）であることが好ましい。硬質発泡体１２の見かけ密度が０．０５（ｇ／ｃｍ3）より小さい場合は、エアゾール組成物の保持時間を長くする、冷却効果を持続させるなどの効果が得られにくくなる。一方、硬質発泡体１２の見かけ密度が０．３（ｇ／ｃｍ3）よりも大きい場合は、エアゾール組成物の移動が遅くなりすぎ、噴射操作してから患部に薬液を塗布できるまでの時間が長くなる。さらに滞留時間が長くなり、放出したエアゾール組成物を全量塗布するまでに時間がかかる。
【００３９】
また硬質発泡体１２は、硬質発泡体を２５％圧縮するのに要する力（以下、圧縮硬度）が０．７〜５（ｋｇ／ｃｍ2）、さらには０．８〜４（ｋｇ／ｃｍ2）であることが好ましい。硬質発泡体１２の圧縮硬度が０．７（ｋｇ／ｃｍ2）よりも小さい場合は塗布部１０を患部に押し付けたときに変形量が大きくなり、ステム３０を確実に開放できない。一方、硬質発泡体１２の圧縮硬度が５（ｋｇ／ｃｍ2）よりも大きい場合は、塗布部を人体に押し付けたときに軟質発泡体を介して硬質発泡体の硬さが伝わりやすく、使用感が悪くなる。
【００４０】
さらに硬質発泡体１２の容積は、エアゾール組成物の単位時間あたりの噴射量（ｍｌ／秒）に応じて適宜設計することができるが、噴射量の０．５〜１０秒分、さらには１〜５秒分であることが好ましい。硬質発泡体１２の容積が噴射量の０．５秒分よりも小さい場合はエアゾール組成物を保持する時間が短く冷却効果を持続しにくい。一方、噴射量（ｍｌ/秒）の１０秒分よりも大きい場合は噴射操作してから患部に薬液を塗布できるまでの時間が長くなり、噴射した量を全量塗布するのに時間がかかる。なお、硬質発泡体１２と軟質発泡体１１との容積比は１：５〜５：１、さらには１：３〜３：１であることが好ましい。
【００４１】
また、軟質発泡体１１と硬質発泡体１２には、エアゾール組成物の流出通路となる本体通路２ｂと同軸方向に伸びる中心通路１１ａ、１２ａがそれぞれ設けられている。該中心通路１１ａ、１２ａにより、本体通路２ｂを経て貯留空間２ａに放出されたエアゾール組成物の一部を直接軟質発泡体１１に含侵させることができると共に、エアゾール組成物が中心通路１１ａ、１２ａを通過するときに液化ガスの気化による推進力により中心通路１１ａ、１２ａの側面から外方に拡がり短時間で硬質発泡体１２および軟質発泡体１１全体に含侵するため、噴射操作をしてから人体に薬液を塗布できるまでの時間を短くすることができる。
【００４２】
なお、中心通路は軟質発泡体１１と硬質発泡体１２の両方に設けても良く、いずれか一方に設けても良い。さらに、中心通路は発泡体を貫通するように設けても良く、中心通路の断面積が変化するように設けても良い。図１ａに示すように、中心通路が軟質発泡体１１と硬質発泡体１２の両方を貫通するように設けた場合でも、本体通路２ｂを経て放出されたエアゾール組成物は貯留空間２ａにより流速が減速されるため、直接患部に付着することが防止される。さらに、後述するが、２０℃での蒸気圧が０．０５〜０．３ＭＰａである液化ガスを４０〜９９重量％含有したエアゾール組成物を用いる場合は、本体通路２ｂ、貯留空間２ａ、中心通路１１ａ、１２ａにより噴射の勢いを調整しやすく、液化ガスが直接患部に付着することを防止できる。
【００４３】
なお図１ｂに示すように、塗布部１０を軟質発泡体１１の単層で構成しても良い。
【００４４】
前記エアゾール容器に充填されるエアゾール組成物は、有効成分を含む原液と液化ガスとからなる。
【００４５】
前記有効成分は、製品の用途や目的などに応じて適宜選択できるものであり、たとえば、サリチル酸メチル、ケトプロフェン、インドメタシン、フェルビナク、ピロキシカム、カンフル、ジフェンヒドラミン、クロタミトンなどの消炎鎮痛剤；硝酸ミコナゾール、エコナゾール、ビフォナゾール、クロトリマゾール、塩酸ネチコナゾール、硝酸スルコナゾール、硝酸オキシコナゾール、塩酸テルビナフィン、塩酸ブテナフィンなどの抗真菌剤；尿素などの鎮痒剤；Ｎ、Ｎ−ジエチル−ｍ−トルアミド（ディート）、カプリル酸ジエチルアミドなどの害虫忌避剤；パラオキシ安息香酸エステル、安息香酸ナトリウム、ソルビン酸カリウム、フェノキシエタノール、塩化ベンザルコニウム、塩化ベンゼトニウム、塩化クロルヘキシジン、感光素、パラクロルメタクレゾールなど殺菌剤；トウガラシチンキ、ジカプリル酸ピリドキシン、センブリ抽出物、酢酸―ｄｌ−α―トコフェロールなどの血行促進剤；ｌ−メントール、カンフルなどの清涼剤；アラントインヒドロキシアルミニウム、クエン酸、乳酸、タンニン酸などの収斂剤；アラントイン、グリチルレチン酸、アズレンなどの抗炎症剤；塩酸ジブカイン、塩酸テトラカイン、塩酸リドカインなどの局所麻酔剤；塩酸ジフェンヒドラミン、マレイン酸クロルフェミラミンなどの抗ヒスタミン剤；ラウリル酸メタクリレート、安息香酸メチル、フェニル酢酸メチル、ゲラニルクロトレート、ミリスチン酸アセトフェノン、酢酸ベンジル、プロピオン酸ベンジルなどの消臭剤；クロロヒドロキシアルミニウムなどの制汗剤；グリシン、アラニン、ロイシン、イソロイシン、セリン、スレオニントリプトファン、シスチン、システイン、アスパラギン酸、グルタミン酸などのアミノ酸；レチノール、パルミチン酸レチノール、塩化ピリドキシン、ニコチン酸ベンジル、ニコチン酸アミド、ニコチン酸ｄｌ−α−トコフェロール、ビタミンＤ２（エルゴカシフェロール）、ｄｌ−α−トコフェロール、酢酸ｄｌ−α−トコフェロール、パントテン酸、ビオチンなどのビタミン類；α−トコフェロール、ジブチルヒドロキシトルエン、ブチルヒドロキシアニソールなどの酸化防止剤；ドクダミエキス、オウバクエキス、シャクヤクエキス、ヘチマエキス、キナエキス、サクラソウエキス、バラエキス、レモンエキス、アロエエキス、ショウブ根エキス、ユーカリエキス、セージエキス、茶エキス、海藻エキス、プラセンタエキス、シルク抽出液などの抽出液；合成香料、天然香料などの香料；などがあげられる。
【００４６】
有効成分の配合量は、原液中１〜５０重量％、さらには２〜４０重量％であることが好ましい。有効成分の配合量が１重量％未満の場合は有効成分濃度が低く、所望の効果を得るためには使用量が多くなり、５０重量％を越えると有効成分濃度が高く、使用上限を超えて使用しやすく悪影響を及ぼす恐れがある。
【００４７】
前記原液は有効成分以外に、溶媒、油性成分、界面活性剤、補助成分などを配合することができる。
【００４８】
前記溶媒は有効成分を溶解あるいは分散させるだけでなく、エアゾール容器から放出されると塗布部１０内で液化ガスの気化によって冷却され冷却効果を持続させる。前記溶媒としては、たとえば、精製水、イオン交換水、生理食塩水、海洋深層水などの水；エタノール、イソプロパノールなどの１価の低級アルコール；エチレングリコール、プロピレングリコール、１，３−ブチレングリコール、グリセリン、ジエチレングリコールなどの多価アルコールなどがあげられる。
【００４９】
溶媒の配合量は特に限定されないが、原液中５０〜９９重量％、さらには６０〜９８重量％であることが好ましい。溶媒の配合量が５０重量％未満の場合は冷却効果が持続しにくくなり、９９重量％よりも多くなると有効成分を必要量配合しにくくなり１回での使用量が多くなる。
【００５０】
前記油性成分は、有効成分を付着しやすくする、さらっとした感触を得るなど使用感を向上させる、皮膚に潤いを与える、乾燥しにくくするなどの目的で用いられる。前記油性成分としては、たとえば、オクタメチルトリシロキサン、デカメチルテトラシロキサン、メチルポリシロキサン、オクタメチルシクロテトラシロキサン、デカメチルシクロペンタシロキサン、ドデカメチルシクロヘキサシロキサン、メチルフェニルポリシロキサンなどのシリコーンオイル；ミリスチン酸イソプロピル、オクタン酸セチル、ミリスチン酸オクチルドデシル、パルミチン酸イソプロピル、フタル酸ジエチル、フタル酸ジエトキシエチル、コハク酸ジエトキシエチル、セバシン酸ジエチルなどのエステル油；スクワラン、スクワレン、流動パラフィン、イソパラフィンなどの炭化水素油；ラウリルアルコール、セチルアルコール、ステアリルアルコール、ミリスチルアルコール、オレイルアルコール、イソステアリルアルコールなどの高級アルコール；ラウリン酸、ミリスチン酸、パルミチン酸、ステアリン酸、オレイン酸などの高級脂肪酸；ミツロウ、ラノリン、カンデリラロウ、パラフィンワックスなどのロウ（ワックス類）；ツバキ油、トウモロコシ油、オリーブ油、ヒマシ油、サフラワー油、ホホバ油、ヤシ油などの油脂；などがあげられる。
【００５１】
油性成分を配合する場合の配合量は、原液中０．１〜２０重量％、さらには０．５〜１５重量％であることが好ましい。油性成分の配合量が０．１重量％未満の場合は油性成分を配合する効果が得られにくく、２０重量％を越えるとべたつき感が強くなる、乾燥性が悪くなるなど、使用感が低下しやすい。
【００５２】
前記界面活性剤は、溶媒に溶解し難い有効成分を可溶化させる、有効成分を付着させやすくする、などの目的で用いられる。前記界面活性剤としては、たとえば、ソルビタン脂肪酸エステル、グリセリン脂肪酸エステル、ポリ（ジ、トリ、テトラ、ペンタ、ヘキサ、デカなど）グリセリン脂肪酸エステル、ポリオキシエチレンソルビタン脂肪酸エステル、ポリオキシエチレングリセリン脂肪酸エステル、ポリエチレングリコール脂肪酸エステル、ポリオキシエチレンアルキルエーテル、ポリオキシエチレンポリオキシプロピレンアルキルエーテル、ポリオキシエチレンヒマシ油・硬化ヒマシ油、ポリオキシエチレンラノリンアルコール、ポリオキシエチレンアルキルアミン、ポリオキシエチレン脂肪酸アミド、脂肪酸アルキロールアミド、アルキルポリグルコシド、ポリオキシエチレン・メチルポリシロキサン共重合体、ポリオキシプロピレン・メチルポリシロキサン共重合体、ポリ（オキシエチレン・オキシプロピレン）・メチルポリシロキサン共重合体などの非イオン系界面活性剤などがあげられる。
【００５３】
界面活性剤を配合する場合の配合量は、原液中０．１〜１０重量％、さらには０．５〜５重量％であることが好ましい。界面活性剤の配合量が０．１重量％未満の場合は界面活性剤を配合する効果を得られにくく、１０重量％を越えると刺激が強くなる、べたつき感が強くなる、乾燥性が悪くなるなど、使用感が低下しやすい。
【００５４】
前記補助成分としては、たとえば、原液のｐＨを調整して有効成分を安定に溶解するためのｐＨ調整剤、原液に粘性を付与して冷却効果を調整するための増粘剤、などがあげられる。
【００５５】
前記ｐＨ調整剤としては、たとえば、トリエタノールアミン（ＴＥＡ）、ジエタノールアミン（ＤＥＡ）、モノエタノールアミン（ＭＥＡ）、ジイソプロパノールアミン（ＤＩＰＡ）、２−アミノ−２−メチル−１−プロパノール（ＡＭＰ）、２−アミノ−２−メチル−１、３−プロパンジオール（ＡＭＰＤ）などの有機アルカリ、水酸化カリウム、水酸化ナトリウム、水酸化アンモニウムなどの無機アルカリ、クエン酸、グリコール酸、乳酸、リン酸などの有機酸、塩酸などの無機酸などがあげられる。
【００５６】
前記増粘剤としては、たとえば、寒天、デキストリン、ペクチン、デンプン、ゼラチン、ゼラチン加水分解物、アルギン酸ナトリウム、メチルセルロース、エチルセルロース、ヒドロキシエチルセルロース、ヒドロキシプロピルセルロース、ニトルセルロース、結晶セルロース、キサンタンガム、ジェランガム、変性ポテトスターチ、ポリビニルアルコール、ポリビニルピロリドン、カルボキシビニルポリマーなどがあげられる。
【００５７】
増粘剤を配合する場合の配合量は、原液中０．０１〜１０重量％、さらには０．１〜５重量％であることが好ましい。増粘剤の配合量が０．０１重量％未満の場合は粘度上昇が少なく増粘剤の配合効果を得られにくく、１０重量％を越えると粘度が高くなりすぎるため、塗布部１０内で薬液が滞留しやすく即効性が悪くなる。
【００５８】
前記原液は、有効成分を溶媒に溶解あるいは分散（乳化）させることにより調整することができるが、塗布部１０内で液化ガスが徐々に気化しても分離せず、均一な組成で患部に塗布できるという点から、有効成分が溶媒に溶解した均一なものが好ましい。
【００５９】
原液はエアゾール組成物中１〜６０重量％、さらには１．５〜４０重量％、特に２〜３０重量％であることが好ましい。原液の配合量が１重量％未満の場合は冷却効果が持続しにくく、６０重量％を超えると冷却感を得られにくく、塗布部内に原液が残りやすくなるため、使い勝手が悪い。
【００６０】
前記液化ガスは、エアゾール組成物の噴射剤として、さらにはエアゾール容器から放出されたエアゾール組成物自身を冷却する自己冷却成分として作用する。前記液化ガスは沸点が５℃以下であるものが冷却効果に優れているという点から好ましく、たとえば、プロパン、ノルマルブタン、イソブタンおよびこれらの混合物からなる液化石油ガス、ジメチルエーテル、および液化石油ガスとジメチルエーテルの混合物などがあげられる。さらに冷却温度や持続時間などの調整するためにノルマルペンタン、イソペンタンなどの沸点が５〜４０℃である炭化水素を配合しても良い。特に、塗布部１０内で液化ガスが残留しやすく冷却効果に優れている点、塗布部内を移動する速度を調整しやすい点から、２０℃での蒸気圧が０．０５〜０．３（ＭＰａ）、さらには０．０８〜０．２（ＭＰａ）である液化ガスを用いることが好ましい。液化ガスの蒸気圧が０．０５（ＭＰａ）よりも小さい場合は塗布部内でのエアゾール組成物の拡散が遅いため、塗布部内の移動時に温度上昇しやすく患部に塗布する薬液の温度が高くなり、冷却効果が得られにくい。一方、液化ガスの蒸気圧が０．３（ＭＰａ）よりも大きい場合は、塗布部内での気化や移動が速いため薬液内に液化ガスが残留しにくく冷却効果が持続しにくい。
【００６１】
液化ガスの配合量は、エアゾール組成物中４０〜９９重量％、さらには６０〜９８．５重量％、特に７０〜９８重量％であることが好ましい。液化ガスの配合量が４０重量％よりも小さい場合は自己冷却能力が不充分であり、薬液内に液化ガスが残留しにくく冷却効果が弱くなりやすい。一方、液化ガスの配合量が９９重量％よりも大きい場合は塗布部内での気化が速くなり冷却効果を持続し難くなる。
【００６２】
前記エアゾール組成物は、耐圧容器４に原液を充填し、耐圧容器４の開口部にエアゾールバルブ３を固着するときに液化ガスをアンダーカップ充填により充填することにより調整できる。得られるエアゾール組成物は、塗布部１０内で液化ガスが徐々に気化しても原液と液化ガスとが分離せずに均一な組成で塗布できるように、原液と液化ガスとが均一に溶解したものが好ましい。
【００６３】
このようにして得られる人体用エアゾール製品１００は、塗布部材を下方に向く状態（倒立状態）にして塗布部１０の天面を患部に押し付けることによりステム孔が開放され、エアゾール容器内部のエアゾール組成物６がステム孔から本体通路２ｂを経て硬質発泡体１２に付着する。このとき液化ガスの一部は気化して残りの液化ガスと原液とを冷却すると共に、徐々に気化する液化ガスの推進力により硬質発泡体１２内を上方に移動し、さらに硬質発泡体１２の上面に接している軟質発泡体１１内に移動して患部に液状で塗布される。さらに塗布される薬液は徐々に気化する液化ガスにより塗布部１０内で連続的に冷却されるため非常に優れた冷却感を得られると共に、塗布部１０自体も冷却されるため液化ガスの気化が抑制されて冷却効果を持続する。
【００６４】
当該実施の形態１のエアゾール製品１００では、塗布部１０の天面の直径が２０〜５０ｍｍと比較的大きな面積を有しているため、腕、脚、肩、首、背中などの広い範囲に塗布する製品に好適に用いることができ、たとえば消炎鎮痛剤、鎮痒剤、殺菌消毒剤、制汗剤、害虫忌避剤、収斂剤などを塗布する人体用エアゾール製品があげられる。
【００６５】
実施の形態２
図２に示す人体用エアゾール製品１１０は、ステム３０が傾動するとステム孔が開放されるティルト式バルブであること以外は図１ａのエアゾール容器と同じものである。また塗布部材１は円筒状の本体２と、本体２の上面に貼付されるドーム状の塗布部１０とからなる。
【００６６】
本体２は、図１ａの塗布部材と同様に、下部にステム装着部２ｃが設けられ、筒部の内部には本体通路２ｂが、さらに本体通路２ｂの上部には貯留空間２ａが形成されている。塗布部１０は、円盤状の硬質発泡体１２と、硬質発泡体１２の側面および上面を覆い、かつ、上部が半球状に形成されている軟質発泡体１１とからなる。硬質発泡体１２にはその中心に軸方向に貫通する中心通路１２ａが設けられており、軟質発泡体１１にはその中心に硬質発泡体１２側から途中まで軸方向に伸びる中心通路１１ａが設けられており、貯留室内のエアゾール組成物を硬質発泡体１２内および軟質発泡体１１に移動しやすくする効果がある。なおこの実施の形態の場合、貯留空間２ａは大気と直接連通していないため、貯留空間２ａがエアゾール組成物で満たされると、ステム孔が開放されていてもエアゾール容器からのエアゾール組成物が供給されにくくなり、貯留空間２ａが簡易的な定量室の役割を果たして、薬液の塗布量を適切に調整することができる。
【００６７】
このエアゾール製品１１０を使用する場合は、図１のエアゾール製品１００と同様に塗布部材が下方に向く状態にし、塗布部１０の天面を患部に押し付けて塗布する、あるいは筒部の側面を指で押して傾動させながら患部に塗布することができる。
【００６８】
この実施の形態では、塗布部材が円筒状であり塗布部１０がその先端に設けられていることから、足の指や指の間などの狭い患部に塗布する製品に好適に用いることができる。たとえば水虫薬などを塗布する人体用エアゾール製品があげられる。
【００６９】
実施の形態３
図３に示す人体用エアゾール製品１２０は、ハウジング３３の下部に耐圧容器４の底部で開口するディップチューブを設けていること以外は図１のエアゾール容器と同じものである。また塗布部材の本体２は本体通路２ｂがＬ字状であり、本体通路２ｂの先端から貯留空間２ａが横方向に開口するように設けられており、塗布部１０も貯留空間２ａの開口部を塞ぐように横方向（耐圧容器４の軸線方向に対して垂直方向）に設けられている。該貯留空間２ａも、図１の塗布部材と同様に簡易的な定量室として作用する。
【００７０】
塗布部１０は、円錐状の硬質発泡体１２と、硬質発泡体１２と同様に円錐状であり内面が硬質発泡体１２の円錐状の外周面を覆うように取り付けられている軟質発泡体１１とからなる。硬質発泡体１２には円錐の中心軸方向に貫通する中心通路１２ａが設けられており、貯留室内のエアゾール組成物を硬質発泡体１２内および軟質発泡体１１へ移動しやすくする効果がある。また実施の形態３は、実施の形態２と同様に貯留空間２ａが大気と直接連通していないため、貯留空間２ａが簡易的な定量室として作用する。
【００７１】
このエアゾール製品１２０を使用する場合は、そのままの状態（エアゾール容器を正立させた状態）で本体２の上面を指で押し下げながら塗布部１０の先端面を患部に当接して塗布する。
【００７２】
当該実施の形態３では、エアゾール製品１２０を上下反転することなくそのままの姿勢（エアゾール容器を正立させた姿勢）で使用し、塗布部材１の塗布部１０がエアゾール製品１２０の耐圧容器４の軸線に対して垂直方向（図面の横（左右）方向）に向けて設けられていることから、頭皮、肩（つぼ）などの局部的な患部に塗布する製品に好適に用いることができる。たとえば育毛剤、頭皮のクレンジング、消炎鎮痛剤などを塗布する人体用エアゾール製品があげられる。
【００７３】
実施の形態４
図４に示す人体用エアゾール製品１３０は、ビード部のない小径の耐圧容器４にエアゾールバルブ３を固着したエアゾール容器を用いており、塗布部材１も耐圧容器４の大きさに応じて小さくしたものである。
【００７４】
耐圧容器４は、ビード部の代わりに円筒状の開口部４ｂを備えており、円筒部分の下部に環状の凹部４ｃが設けられている。エアゾールバルブ３は耐圧容器４の開口部４ｂを塞ぐように取り付けられるハウジング３３と、ハウジング３３を開口部４ｂに固着するためのカバーキャップ３５を備えており、カバーキャップ３５の下端外周を凹部４ｃにクリンプすることにより固着される。
【００７５】
塗布部材１は、円盤状の本体２と、本体２の上面に取り付けられる円盤状の硬質発泡体１２と、硬質発泡体１２の上面に溶着され、上面に凸部を複数個設けた軟質発泡体１１とからなる。
【００７６】
このエアゾール製品１３０を使用する場合は、図１のエアゾール製品１００と同様に塗布部材を下方に向く状態にし、軟質発泡体１１の上面を患部に押し付けて塗布することができる。なお、エアゾール容器には肩カバー５が装着されており、エアゾールバルブの外周を覆い常時保護している。また肩カバー５の上部にはキャップ（図示せず）を装着することができ、使用しないときに誤って塗布部材を作動させないように保護する。
【００７７】
当該実施の形態４では、塗布部１０の直径が１０〜３０ｍｍと小さいことから、ハンドバックやカバンなどに入れて持ち歩く携帯用、幼児に塗布する製品に好適に用いることができ、たとえば消炎鎮痛剤、鎮痒剤、殺菌消毒剤、制汗剤、害虫忌避剤などの人体用エアゾール製品があげられる。
【００７８】
実施の形態５
図５に示す人体用エアゾール製品１４０は、塗布部材が、エアゾール容器に装着する装着部２１と、端部が装着部にヒンジ連結されている本体２と、本体２の上部に設けられる塗布部１０とからなる。本体２は、上方でヒンジ連結側に傾斜しており、ヒンジ連結とは反対側の本体後方に噴射操作するためのレバー２２が設けられている。塗布部１０は軟質発泡体１１を用いて上面が凸状となるように成型されており、下面が本体２の傾斜した上面に貼り付けられている。
【００７９】
さらに、エアゾールバルブのハウジング３３には、ほぼ同じ断面積を有するアンダータップ孔３ｂとベーパータップ孔３ａとを設けている。これにより、チューブからアンダータップ孔３ｂを介してハウジング３３内に導入される内容物とベーパータップ孔３ａを介して導入される内容物とがハウジング３３内部で混合され噴射される内容物が、エアゾール製品１４０の向きによらず一定になるため、エアゾール製品１４０をどのような方向に向けても使用することができる。
【００８０】
このエアゾール製品１４０を使用する場合は、塗布面を患部に押し当てながら指でレバー２２を押し下げて薬液を塗布することができる。塗布面はエアゾール容器に対して傾斜しており、さらにレバー２２は塗布面と反対側に設けられているため、肩、首、背中、脚、お尻、太もも、ふくらはぎ、脚の裏などの手の届きにくい箇所であっても塗布しやすく、たとえば消炎鎮痛剤、鎮痒剤、殺菌消毒剤、制汗剤、害虫忌避剤、収斂剤などを塗布する人体用エアゾール製品に好適に用いることができる。
【００８１】
また、薬液は塗布部内で一旦貯留されるため、噴射操作し塗布部材に薬液を含浸させてから患部に塗布しても良い。
【００８２】
実施の形態６
図６ａ〜図６ｃに示す人体用エアゾール製品１５０は、塗布部１０が本体２のノズル２３に対して摺動可能に設けられており、塗布部１０の位置により噴霧と塗布を切り替えることができる。本体２は図３と同様に本体通路２ｂがＬ字状であり、エアゾール容器の軸線方向に対して垂直方向（図６ａ、紙面左右方向）に円筒状のノズル２３が設けられており、その先端には噴射孔２ｄが設けられている。塗布部１０は合成樹脂などから円筒状に成型された基部１３に、同軸円筒状に成型された軟質発泡体１１を貼り付けた積層体であり、塗布部１０の内周面にノズル２３を内挿し、ノズル２３に沿って摺動できるように取り付けられている。また、ノズル２３の外周には横溝２３ａと環状溝２３ｂとが設けられており、塗布部１０の基部１３の内周面に設けられた突起（図示せず）と係合する（図６ｃ）。
【００８３】
このエアゾール製品１５０を使用する場合、図６ａに示すように塗布部１０が本体２側に位置するときはノズル２３の先端の噴射孔２ｄから薬液を直接患部に噴霧することができる（第２状態）。一方、図６ｂに示すように、塗布部１０を前方（図６ｂ、右方向）に移動させ、さらに塗布部１０を回転させることで基部１３に設けられた突起（図示せず）がノズル２３の環状溝２３ｂと係合し、塗布部１０はこの位置で固定される。この状態で塗布部材１を押し下げると噴射孔２ｄから薬液が放出されるが、薬液は塗布部１０の内周面に付着して一時的に貯留され、塗布可能になる（第１状態）。このエアゾール製品１５０の場合は、広範囲への噴霧と、局部的な塗布とを選択することができるため、その用途は広く、たとえば、消炎鎮痛剤、鎮痒剤、殺菌消毒剤、制汗剤、害虫忌避剤、収斂剤などを塗布する人体用エアゾール製品に好適に用いることができる。
【００８４】
実施の形態７
図７ａおよび図７ｂに示す人体用エアゾール製品１６０は、図６に示す人体用エアゾール製品１５０と同様に、塗布部１０の位置により噴霧と塗布を切り替えることができるものである。この実施の形態では、塗布部材１が、ステムに装着される本体２と、エアゾール容器に装着される肩カバー５と、本体２に被せられるカバー６と、カバー６に装着される塗布部１０とからなる。
【００８５】
本体２は、図３と同様に内部にＬ字状の本体通路２ｂを備えており、その先端には噴射孔２ｄが設けられている。肩カバー５は、上部に環状平面を有し、環状平面には環状スリット５ａが２箇所設けられている。
【００８６】
カバー６は、有底筒状であり、筒部の開口には肩カバー５の環状スリット５ａに挿入される脚部６１が２箇所設けられており、肩カバー５に対して約９０度回転でき、さらに上下（図７ａ、紙面上下方向）に移動できるように挿入されている。筒部の側面には本体２の噴射孔２ｄを露出させる噴射窓６ａと、塗布部１０を装着するための開口６ｂが設けられている。また、底部の内面が本体２の天面に被せられており、カバー６の天面を押し下げると本体２も一緒に押し下げられる。塗布部１０は軟質発泡体１１によりドーム状に成型されており、カバー６の開口６ｂに装着されている（図８ａ参照）。
【００８７】
このエアゾール製品１６０を使用する場合、図７ａおよび図７ｂに示すようにカバー６の噴射窓６ａが本体２の噴射孔２ｄを露出させる位置にあるときは、カバー６の天面を押し下げることにより本体２が押し下げられて噴射孔２ｄから薬液を直接患部に噴霧することができる（第２状態）。一方、図８ａおよび図８ｂに示すように、カバー６を９０度回転し噴射孔２ｄの前方に塗布部１０が位置するときは、カバー６を押し下げると噴射孔２ｄから薬液が噴霧されるが、塗布部１０の内面に付着して一時的に保持され、塗布可能になる（第１状態）。このエアゾール製品１６０も、広範囲への噴霧と、局部的な塗布とを選択することができるため、その用途は広く、たとえば、消炎鎮痛剤、鎮痒剤、殺菌消毒剤、制汗剤、害虫忌避剤、収斂剤などを塗布する人体用エアゾール製品に好適に用いることができる。
【００８８】
実施の形態８
図９ａおよび図９ｂに示す人体用エアゾール製品１７０は、図６に示す人体用エアゾール製品１５０と同様に、塗布部１０の位置により噴霧と塗布を切り替えることができるものである。この実施の形態では、塗布部材１が、ステムに装着される本体２と、エアゾール容器に装着される肩カバー５と、肩カバー５の環状平面から垂直上方（図９ａ、紙面上下方向）に向かって伸びる２つの側壁５１と、２つの側壁５１に回動自在に装着される支持体１４と、支持体１４の上部に設けられる塗布部１０とからなる。
【００８９】
前記側壁５１は本体２の側面を覆うように２箇所設けられており、２つの側壁５１の上方には対称となる位置にそれぞれ孔５１ａが設けられている。
【００９０】
前記支持体１４は、塗布部１０を保持するリング状の保持部１４ａと、保持部１４ａから下方に延びる一対の脚部１４ｂと、脚部１４ｂの外側面に設けられる回動突起１４ｄと、脚部１４ｂから前方に延びる一対の支持突起１４ｃとからなる。前記支持体１４の回動突起１４ｄを側壁５１の孔５１ａに嵌入することで支持体１４の回動軸となり、支持体１４は肩カバー５に対して回動自在になる。また支持体１４を噴射孔２ｄの前方に位置するように回動させたとき、支持突起１４ｃが肩カバー５の環状平面と当接して固定される。
【００９１】
このエアゾール製品１７０を使用する場合、図９ａおよび図９ｂに示すように塗布部１０が本体２の上部に位置するときは、本体２の上部と塗布部１０の間から指を挿入し本体２の上部を押し下げると噴射孔２ｄから薬液を直接患部に噴霧することができる（第２状態）。一方、図１０に示すように支持体１４を回動して塗布部１０が噴射孔２ｄの前方に位置するときは、本体２の上部を押し下げると薬液は噴射孔２ｄから霧状で噴射されるが、噴射孔２ｄの前方にある塗布部１０の内面に付着して一時的に保持され、塗布可能になる（第１状態）。このエアゾール製品１７０も、広範囲への噴霧と、局部的な塗布とを選択することができるため、その用途は広く、たとえば、消炎鎮痛剤、鎮痒剤、殺菌消毒剤、制汗剤、害虫忌避剤、収斂剤などを塗布する人体用エアゾール製品に好適に用いることができる。また、図９ａに示すように、エアゾール製品１７０を使用しないときには、塗布部を清潔に保つために、さらには傷つかないように保護するために塗付部材１を覆うようにキャップＣを取り付けることが好ましい。
【００９２】
以上により、本発明の人体用エアゾール製品によれば、有効成分を含み、液化ガスを４０〜９９重量％含有するエアゾール組成物を充填したエアゾール容器と、エアゾール容器に装着される塗布部材とからなる人体用エアゾール製品であって、塗布部材が、エアゾール容器から放出されるエアゾール組成物を一時貯留すると共に、患部に押し付けると患部の形状に応じて変形し塗布することができる軟質な発泡体で構成された塗布部を備えていることを特徴としている。これにより、塗布部材を患部に押し付けるなどの操作によりステム孔は開放され、エアゾール容器内部のエアゾール組成物がステム孔から本体通路２ｂを経て軟質な発泡体に付着する。このとき液化ガスの一部は発泡体内部で気化して、残りの液化ガスと原液とを冷却すると共に、徐々に気化する液化ガスの推進力により薬液は発泡体内を塗布面側に移動して患部に液状で塗布される。さらに塗布される薬液は徐々に気化する液化ガスにより塗布部１０内で連続的に冷却されるため非常に優れた冷却感が得られると共に、塗布部１０自体も冷却されるため液化ガスの気化が抑制されて冷却効果が持続する。
【００９３】
以上をまとめると、本発明の人体用エアゾール製品を用いた場合、つぎの（１）〜（３）に記載のとおりの効果を奏する。
（１）エアゾール組成物を塗布部内で一時貯留するため、液化ガスを多く含有しても飛散することなく、薬液を塗布することができる。
（２）また、塗布部内で液化ガスは一気に全量気化せず、一部が気化して自己冷却するため、塗布される薬液は液化ガスを含有しており優れた冷却感が得られる。また塗布部内も冷却されるため、液化ガスは徐々に気化し冷却効果が持続する。
（３）塗布部を患部に押し付けると塗布部が患部の形状に応じて変形するため、患部との接触面積が大きく、塗布効率が高い。
【００９４】
エアゾール製品例１
下記のエアゾール組成物を図１に示す塗布部材１を備えたエアゾール容器に充填し、害虫忌避用エアゾール製品を製造した。なお塗布部１０の発泡体は、下層が見かけ密度０．０７（ｇ／ｃｍ3）、圧縮硬度が０．９（ｋｇ／ｃｍ2）であるポリエチレンフォーム（硬質発泡体）、上層が見かけ密度０．０３１（ｇ／ｃｍ3）、圧縮硬度が０．１（ｋｇ／ｃｍ2）であるポリウレタンフォーム（軟質発泡体）である積層体を用い、両発泡体の中心軸を貫通する中心通路を備えている。
【００９５】
＜エアゾール組成物＞
Ｎ，Ｎ−ジエチル−ｍ−トルアミド                        ０．２５
シクロメチコン                                          ０．２０
セバシン酸ジエチル                                      ０．２０
エタノール                                              ４．３５
ノルマルブタン（２０℃での蒸気圧：０．１２ＭＰａ）    ９５．００
合計                                                １００．００（重量％）
【００９６】
エアゾール製品例２
下記のエアゾール組成物を図２に示す塗布部材１を備えたエアゾール容器に充填し、抗真菌剤用エアゾール製品を製造した。なお、塗布部１０の発泡体はエアゾール製品例１と同じ材質のポリエチレンフォーム（硬質発泡体）とポリウレタンフォーム（軟質発泡体）を用いた。
【００９７】
＜エアゾール組成物＞
塩酸ブテナフィン                                        ０．５
クロタミトン                                            ３．０
ミリスチン酸イソプロピル                                ２．０
エタノール                                            １４．５
液化石油ガス（２０℃での蒸気圧：０．２ＭＰａ）        ８０．０
合計                                                １００．０（重量％）
【００９８】
エアゾール製品例３
下記のエアゾール組成物を図７に示す塗布部材１を備えたエアゾール容器に充填し、消炎鎮痛用エアゾール製品を製造した。なお、塗布部１０の発泡体はエアゾール製品例１と同じ材質のポリウレタンフォーム(軟質発泡体)を用いた。
【００９９】
＜エアゾール組成物＞
サリチル酸メチル                                        １．０
ｌ−メントール                                          １．０
ユーカリ油                                              ０．５
１，３−ブチレングリコール                              ０．５
エタノール                                            １７．０
液化石油ガス（２０℃での蒸気圧：０．２ＭＰａ）        ８０．０
合計                                                １００．０（重量％）
【図面の簡単な説明】
【０１００】
【図１（ａ）】本発明の実施形態１のエアゾール製品の断面を示す図である。
【図１（ｂ）】本発明の実施形態１のエアゾール製品の断面を示す図である。
【図２】本発明の実施形態２のエアゾール製品の断面を示す図である。
【図３】本発明の実施形態３のエアゾール製品の断面を示す図である。
【図４】本発明の実施形態４のエアゾール製品の断面を示す図である。
【図５】本発明の実施形態５のエアゾール製品の断面を示す図である。
【図６（ａ）】本発明の実施形態６のエアゾール製品の噴霧時の断面を示す図である。
【図６（ｂ）】本発明の実施形態６のエアゾール製品の塗付時の断面を示す図である。
【図６（ｃ）】本発明の実施形態６のエアゾール製品の本体および塗付部を示す斜視図である。
【図７（ａ）】本発明の実施形態７のエアゾール製品の噴霧時の状態を示す断面図である。
【図７（ｂ）】本発明の実施形態７のエアゾール製品の噴霧時の状態を示す斜視図である。
【図８（ａ）】本発明の実施形態７のエアゾール製品の塗付時の状態を示す断面図である。
【図８（ｂ）】本発明の実施形態７のエアゾール製品の塗付時の状態を示す斜視図である。
【図９（ａ）】本発明の実施形態８のエアゾール製品の噴霧時の状態を示す断面図である。
【図９（ｂ）】本発明の実施形態８のエアゾール製品の噴霧時の状態を示す斜視図である。
【図１０】本発明の実施形態８のエアゾール製品の塗付時の状態を示す断面図である。
【符号の説明】
【０１０１】
１    塗布部材
２    本体
２ａ  貯留空間
２ｂ  本体通路
２ｃ  ステム装着部
３    バルブ
４    耐圧容器
４ａ  ビード部
４ｂ  開口部
４ｃ  凹部
５    肩カバー
６    エアゾール組成物
１０    塗布部
１１    軟質発泡体
１１ａ、１２ａ  中心通路
１２    硬質発泡体
３０    ステム
３１    ステムラバー
３２    スプリング
３３    ハウジング
３４    マウンティングカップ
３５    カバーキャップ
１００、１０１、１１０、１２０、１３０、１４０、１５０、１６０、１７０  エアゾール製品
【図１（ａ）】
2007330313.tif 000003
【図１（ｂ）】
2007330313.tif 000004
【図２】
2007330313.tif 000005
【図３】
2007330313.tif 000006
【図４】
2007330313.tif 000007
【図５】
2007330313.tif 000008
【図６（ａ）】
2007330313.tif 000009
【図６（ｂ）】
2007330313.tif 000010
【図６（ｃ）】
2007330313.tif 000011
【図７（ａ）】
2007330313.tif 000012
【図７（ｂ）】
2007330313.tif 000013
【図８（ａ）】
2007330313.tif 000014
【図８（ｂ）】
2007330313.tif 000015
【図９（ａ）】
2007330313.tif 000016
【図９（ｂ）】
2007330313.tif 000017
【図１０】
2007330313.tif 000018